(57)【要約】【課題】液晶セルに時分割で位相差を変化させる際の波長−位相差特性の相違に起因する色ずれを除去して、高品質な３次元映像表示する。【解決手段】ＴＮ液晶がＶｏｎ時すなわち左眼用映像Ｌを基準する場合、ＴＮ液晶がＶｏｆｆ時すなわち右眼用映像Ｒの色度を、Ｖｏｎ時の色度に一致するように補償する。例えば映像信号処理部１２０で、入力された右眼用映像ＲのＲ成分を１０％、Ｇ成分を１０％のゲイン値として減少させて出力して、Ｖｏｆｆ時の色度点をＶｏｎ時の色度点に近づけるようにする。あるいは、右眼用映像Ｒに青味がからせるように、右眼用レンズ２１２に位相差板を取り付ける。【選択図】  図７
2013235208.tif 000002
【特許請求の範囲】
【請求項１】
左眼用映像及び右眼用映像を表示する表示部と、
観察者の左眼から右眼用映像を遮光するとともに右眼から左眼用映像を遮光するシャッター機能部と、
左眼用映像又は右眼用映像のうち少なくとも一方の色を補償する補償部と、
を具備する映像表示システム。
【請求項２】
前記補償部は、左眼用映像と右眼用映像の間で生じる色度点のずれを補償する、
請求項１に記載の映像表示システム。
【請求項３】
前記表示部は、左眼用映像及び右眼用映像を時分割で交互に表示し、
前記シャッター機能部は、前記表示部の画面の前方に配置されたアクティブ・リターダー層を有し、前記表示部における左眼用映像と右眼用映像の切り換わりに同期して異なる偏光に変換し、観察者がかけた偏光眼鏡との組み合わせにより、観察者の左眼から右眼用映像を遮光するとともに右眼から左眼用映像を遮光する、
請求項１に記載の映像表示システム。
【請求項４】
前記アクティブ・リターダー層は、ツイスト・ネマティック液晶及び１／４波長板の組み合わせからなる、
請求項３に記載の映像表示システム。
【請求項５】
前記補償部は、前記表示部における左眼用映像と右眼用映像の切り換わりに対応して前記アクティブ・リターダー層の偏光の切り換え前後における波長特性の相違に起因する左眼用映像と右眼用映像の間で生じる色度点のずれを補償する、
請求項３に記載の映像表示システム。
【請求項６】
前記補償部は、左眼用映像と右眼用映像の色度が一致するように、前記表示部に入力される左眼用映像又は右眼用映像のうち少なくとも一方の信号を処理する、
請求項１に記載の映像表示システム。
【請求項７】
前記補償部は、左眼用映像と右眼用映像の色度が一致するように、前記偏光眼鏡の左眼用レンズ又は右眼用レンズのうち少なくとも一方に貼設された位相差板からなる、
請求項１に記載の映像表示システム。
【請求項８】
左眼用映像及び右眼用映像を表示する表示部と、
観察者の左眼から右眼用映像を遮光するとともに右眼から左眼用映像を遮光するシャッター機能部と、
左眼用映像と右眼用映像の色度が一致するように、前記表示部に入力される左眼用映像又は右眼用映像のうち少なくとも一方の信号を処理する信号処理部と、
を具備する表示装置。
【請求項９】
前記表示部は、左眼用映像及び右眼用映像を時分割で交互に表示し、
前記シャッター機能部は、前記表示部の画面の前方に配置されたアクティブ・リターダー層を有し、前記表示部における左眼用映像と右眼用映像の切り換わりに同期して異なる偏光に変換し、観察者がかけた偏光眼鏡との組み合わせにより、観察者の左眼から右眼用映像を遮光するとともに右眼から左眼用映像を遮光する、
請求項８に記載の表示装置。
【請求項１０】
前記アクティブ・リターダー層は、ツイスト・ネマティック液晶及び１／４波長板の組み合わせからなる、
請求項９に記載の表示装置。
【請求項１１】
前記信号処理部は、前記表示部における左眼用映像と右眼用映像の切り換わりに対応して前記アクティブ・リターダー層の偏光の切り換え前後における波長特性の相違に起因する左眼用映像と右眼用映像の間で生じる色度点のずれを補償するように、左眼用映像又は右眼用映像のうち少なくとも一方の信号を処理する、
請求項９に記載の表示装置。
【発明の詳細な説明】
【技術分野】
【０００１】
本明細書で開示する技術は、偏光眼鏡との組み合わせにより３次元映像を表示する映像表示システム並びに表示装置に係り、アクティブ・リターダー方式により３次元映像を表示する映像表示システム並びに表示装置に関する。
【背景技術】
【０００２】
左右の眼に視差のある映像を表示することで、観察者に３次元的に見える３次元映像を提示することができる。例えば、偏光眼鏡を利用した３次元映像表示システムは、表示装置側では時分割又は空間分割で左眼用映像及び右眼用映像を多重して表示し、その際、左眼用映像及び右眼用映像をそれぞれ異なる偏光光に変換する。一方、偏光眼鏡側では、左右のレンズがそれぞれ左眼用映像及び右眼用映像の偏光に対応した光学特性を有しており、多重された左眼用映像と右眼用映像を分離して、左眼には左眼用映像の光のみを入射させるとともに右眼には右眼用映像の光のみを入射させる。そして、観察するユーザーの脳内では左眼用映像と右眼用映像が融像され３次元映像として認識される。偏光眼鏡は、シャッター眼鏡とは相違し、駆動部を持たないパッシブ眼鏡であり、安価で提供することができるという利点がある。
【０００３】
例えば、アクティブ・リターダーを用いた３次元映像表示システムでは、表示装置の画面の前方に、位相差を電気的に制御する位相板すなわちアクティブ・リターダーを配設し、左眼用映像及び右眼用映像の表示期間に同期してアクティブ・リターダーの位相差を時分割で変化させて、左眼用映像をなす光を左回り円偏光に変換するとともに、右眼用映像をなす光を右回り円偏光させる。表示装置が左眼用映像を表示する期間では、アクティブ・リターダーは、左眼用映像をなす光を左回り円偏光に変換するとともに、表示装置が右眼用映像を表示する期間では、右眼用映像をなす光を右回り円偏光させる。一方、観察者が掛ける偏光眼鏡は、左眼側に左回り円偏光に対応した偏光レンズ（リターダー）を取り付けるとともに、右眼側に右回り円偏光に対応した偏光レンズを取り付けている。したがって、時分割多重された左眼用映像と右眼用映像は、偏光眼鏡を通過することで分離され、それぞれ左右の眼で観察することができる（例えば、特許文献１を参照のこと）。偏光眼鏡は、シャッター眼鏡とは相違し、駆動部を持たないパッシブ眼鏡であり、安価で提供することができる。
【０００４】
また、パッシブ眼鏡を利用した３次元映像表示システムでは、表示装置の画面前方に、１水平走査ライン毎に交互に位相差が交互に切り換わる位相差板（パターン・リターダー）を配設するとともに、表示装置は１水平走査ライン毎に左眼用映像と右眼用映像を交互に画面表示する。ここで、パターン・リターダーは、左眼用映像をなす光を左回り円偏光に変換するとともに、右眼用映像をなす光を右回り円偏光に変換する。そして、観察者は、左眼側に左回り円偏光に対応した偏光レンズ（リターダー）を有し、右眼側に右回り円偏光に対応した偏光レンズを有する偏光眼鏡を掛けて、３次元映像を観察することができる（例えば、特許文献２を参照のこと）。
【０００５】
パターン・リターダー方式は、空間分割して左右の映像を多重することから、解像度は２分の１に低下し、また、パターン・リターダーの位相差が切り替わる境界付近で他方の映像の光が漏れ込むため視野角が制限される。言い換えれば、アクティブ・リターダー方式は、視野角や解像度が優れているという特徴がある。アクティブ・リターダー方式では、アクティブ・リターダー層として、表示用の液晶ディスプレイに加え、液晶セルを配置する。ここで、液晶セルにおいて、±λ／４（若しくは、０とλ／２）の位相差に時分割で変化させる必要がある（但し、λは使用波長）。このとき、液晶の波長分散によって、±λ／４それぞれで、波長−位相差特性が異なる、という問題がある。この波長−位相差特性の相違は、左右の映像の色ずれとなって観察される。色ずれの影響が顕著な場合は、両眼視野闘争を生じ、３次元映像の品質低下を招来する。
【先行技術文献】
【特許文献】
【０００６】
【特許文献１】特開２０１１−２４２７７３号公報
【特許文献２】特開２００９−３０１０３９号公報
【発明の概要】
【発明が解決しようとする課題】
【０００７】
本明細書で開示する技術の目的は、液晶セルに時分割で位相差を変化させる際の波長−位相差特性の相違に起因する色ずれを除去して、高品質な３次元映像表示することができる、優れた映像表示システム並びに表示装置を提供することにある。
【課題を解決するための手段】
【０００８】
本願は、上記課題を参酌してなされたものであり、請求項１に記載の技術は、
左眼用映像及び右眼用映像を表示する表示部と、
観察者の左眼から右眼用映像を遮光するとともに右眼から左眼用映像を遮光するシャッター機能部と、
左眼用映像又は右眼用映像のうち少なくとも一方の色を補償する補償部と、
を具備する映像表示システムである。
【０００９】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００１０】
本願の請求項２に記載の技術によれば、請求項１に記載の映像表示システムにおいて、前記補償部は、左眼用映像と右眼用映像の間で生じる色度点のずれを補償するように構成されている。
【００１１】
本願の請求項３に記載の技術によれば、請求項１に記載の映像表示システムにおいて、前記表示部は、左眼用映像及び右眼用映像を時分割で交互に表示するように構成されている。また、前記シャッター機能部は、前記表示部の画面の前方に配置されたアクティブ・リターダー層を有し、前記表示部における左眼用映像と右眼用映像の切り換わりに同期して異なる偏光に変換し、観察者がかけた偏光眼鏡との組み合わせにより、観察者の左眼から右眼用映像を遮光するとともに右眼から左眼用映像を遮光するように構成されている。
【００１２】
本願の請求項４に記載の技術によれば、請求項３に記載の映像表示システムにおいて、前記アクティブ・リターダー層は、ツイスト・ネマティック液晶及び１／４波長板の組み合わせからなる。
【００１３】
本願の請求項５に記載の技術によれば、請求項３に記載の映像表示システムにおいて、前記補償部は、前記表示部における左眼用映像と右眼用映像の切り換わりに対応して前記アクティブ・リターダー層の偏光の切り換え前後における波長特性の相違に起因する左眼用映像と右眼用映像の間で生じる色度点のずれを補償するように構成されている。
【００１４】
本願の請求項６に記載の技術によれば、請求項１に記載の映像表示システムにおいて、前記補償部は、左眼用映像と右眼用映像の色度が一致するように、前記表示部に入力される左眼用映像又は右眼用映像のうち少なくとも一方の信号を処理するように構成されている。
【００１５】
本願の請求項７に記載の技術によれば、請求項１に記載の映像表示システムにおいて、前記補償部は、左眼用映像と右眼用映像の色度が一致するように、前記偏光眼鏡の左眼用レンズ又は右眼用レンズのうち少なくとも一方に貼設された位相差板からなる。
【００１６】
また、本願の請求項８に記載の技術は、
左眼用映像及び右眼用映像を表示する表示部と、
観察者の左眼から右眼用映像を遮光するとともに右眼から左眼用映像を遮光するシャッター機能部と、
左眼用映像と右眼用映像の色度が一致するように、前記表示部に入力される左眼用映像又は右眼用映像のうち少なくとも一方の信号を処理する信号処理部と、
を具備する表示装置である。
【００１７】
本願の請求項９に記載の技術によれば、請求項８に記載の表示装置において、前記表示部は、左眼用映像及び右眼用映像を時分割で交互に表示するように構成されている。また、前記シャッター機能部は、前記表示部の画面の前方に配置されたアクティブ・リターダー層を有し、前記表示部における左眼用映像と右眼用映像の切り換わりに同期して異なる偏光に変換し、観察者がかけた偏光眼鏡との組み合わせにより、観察者の左眼から右眼用映像を遮光するとともに右眼から左眼用映像を遮光するように構成されている。
【００１８】
本願の請求項１０に記載の技術によれば、請求項９に記載の表示装置において、前記アクティブ・リターダー層は、ツイスト・ネマティック液晶及び１／４波長板の組み合わせからなる。
【００１９】
本願の請求項１１に記載の技術によれば、請求項９に記載の表示装置において、前記信号処理部は、前記表示部における左眼用映像と右眼用映像の切り換わりに対応して前記アクティブ・リターダー層の偏光の切り換え前後における波長特性の相違に起因する左眼用映像と右眼用映像の間で生じる色度点のずれを補償するように、左眼用映像又は右眼用映像のうち少なくとも一方の信号を処理するように構成されている。
【発明の効果】
【００２０】
本明細書で開示する技術によれば、液晶セルに時分割で位相差を変化させる際の波長−位相差特性の相違に起因する色ずれを除去して、高品質な３次元映像表示することができる、優れた映像表示システム並びに表示装置を提供することができる。
【００２１】
本明細書で開示する技術のさらに他の目的、特徴や利点は、後述する実施形態や添付する図面に基づくより詳細な説明によって明らかになるであろう。
【図面の簡単な説明】
【００２２】
【図１】図１は、本明細書で開示する技術を適用可能な表示装置１００の機能的構成を模式的に示した図である。
【図２】図２は、アクティブ・リターダー方式の３次元映像表示システムの動作原理を説明するための図である。
【図３】図３は、アクティブ・リターダー方式の３次元映像表示システムの動作原理を説明するための図である。
【図４】図４は、アクティブ・リターダー方式の３次元映像表示システムの動作原理を説明するための図である。
【図５】図５は、アクティブ・リターダー方式の３次元映像表示システムの変形例を示した図である。
【図６】図６は、偏光眼鏡２００の透過光の分光特性を示した図である。
【図７】図７は、偏光眼鏡２００越しに観察される左眼用映像Ｌ及び右眼用映像Ｒの色味を色度座標上で示した図である。
【発明を実施するための形態】
【００２３】
以下、図面を参照しながら本明細書で開示する技術の実施形態について詳細に説明する。
【００２４】
図１には、本明細書で開示する技術を適用可能な表示装置１００の機能的構成を模式的に示している。また、図１には、表示装置１００が表示する映像を視聴者が観察する際に用いる偏光眼鏡２００も併せて示している。
【００２５】
表示装置１００は、映像表示部１１０と、映像信号処理部１２０と、タイミング制御部１４０と、映像メモリー１５０を備えている。
【００２６】
映像信号処理部１２０は、映像信号処理部１２０の外部からの映像信号の伝送を受けると、映像表示部１１０における映像表示に適したものとなるように各種信号処理を実行して出力する。例えば、映像信号処理部１２０は、３次元映像又は２つの異なる映像を入力すると、左眼用映像と右眼用映像を時分割で交互に描画して、映像メモリー１５０に供給する。また、映像信号処理部１２０は、映像信号の切り替えのタイミングに同期して、データ・ドライバー１１３及びゲート・ドライバー１１４が動作するように、所定の制御信号をタイミング制御部１４０へ供給する。なお、ここで言う、映像信号の伝送元となる「外部」には、ディジタル放送の受信機や、ブルーレイ・ディスク・プレイヤーなどのコンテンツ再生装置を挙げることができる。
【００２７】
映像表示部１１０は、外部から印加された信号に応じた映像の表示を行なう。映像表示部１１０は、表示パネル１１２と、ゲート・ドライバー１１３と、データ・ドライバー１１４と、光源１６２を備えている。
【００２８】
ゲート・ドライバー１１３は、順次駆動するための信号を生成する駆動回路であり、タイミング制御部１４０から伝送された信号に応じて、表示パネル１１２内の各画素に接続されたゲート・バス・ラインへ、駆動電圧を出力する。また、データ・ドライバー１１４は、映像信号に基づく駆動電圧を出力する駆動回路であり、タイミング制御部１４０から伝送された信号並びに映像メモリー１５０から読み出された映像信号に基づいてデータ線へ印加する信号を生成して出力する。
【００２９】
表示パネル１１２は、例えば格子状に配列された複数の画素を有する。表示パネル１１２が液晶セルからなる場合、ガラスなどの透明板の間に所定の配向状態を有する液晶分子が封入されており、外部からの信号の印加に応じて画像を表示する。上述したように、表示パネル１１２への信号の印加はゲート・ドライバー１１３及びデータ・ドライバー１１４によって実行される。なお、図１では省略しているが、表示パネル１１２の表示面前方には、偏光板とアクティブ・リターダーが配設され、左眼用映像及び右眼用映像の表示期間に同期して表示光を左回り円偏光又は右回り円偏光に変換する。
【００３０】
光源１６２は、視聴者側から見て画像表示部１１０の一番奥に設けられるバックライトである。画像表示部１１０に画像を表示する際、光源１６２からは無偏光の白色光が視聴者側に位置する表示パネル１１２に出射される。
【００３１】
アクティブ・リターダー方式の表示装置１００は、左眼用映像と右眼用映像、又は異なる２つの映像を時分割表示し、偏光眼鏡２００との組み合わせにより、３次元映像を提供する。
【００３２】
ここで、アクティブ・リターダー方式の３次元映像表示システムの動作原理について、図２〜図４を参照しながら説明する。同図では、表示装置１００を側面から眺めている。図２に示すように、液晶セルからなる表示パネル１１２の前面には、表示パネル１１２が時分割で交互に表示する左眼用映像Ｌと右眼用映像Ｒを分離するためのシャッター機構が配設されている。本実施形態では、シャッター機構は、透過軸が表示パネル１１２の垂直方向と一致する偏光板１３２と、電気信号の印加により位相差を±λ／４に切り替わるアクティブ・リターダー１３１からなり（但し、λは使用波長とする）、偏光眼鏡２００との組み合わせによりシャッター動作を実現する。また、シャッター機構の他の例は、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）液晶である。
【００３３】
表示装置１００は、表示パネル１１２に左眼用映像Ｌと右眼用映像Ｒを時分割で交互に表示する際、映像の切り換わりに同期して、アクティブ・リターダー１３１の位相差を切り換える。具体的には、左眼用映像Ｌの表示期間には、ＴＮ液晶への印加電圧をオン（Ｖｏｎ）にして、その位相差を−λ／４に設定し、偏光板１３２を通過した光を左回り円偏光に変換する。また、右眼用映像Ｒの表示期間には、ＴＮ液晶への印加電圧をオフ（Ｖｏｆｆ）にして、その位相差を＋λ／４に設定し、偏光板１３２を通過した光を右回り円偏光に変換する。
【００３４】
一方、偏光眼鏡２００の左眼用レンズ２１１側には、透過軸が表示パネル１１２の水平方向と一致する偏光板２１１ｂの表側に−λ／４の位相差を持つリターダー２１１ａを配設して、左眼用映像Ｌの左回り円偏光に対応した光学特性を有している。また、偏光眼鏡２００の右眼用レンズ２１２側は、透過軸が表示パネル１１２の水平方向と一致する偏光板２１２ｂの表側に＋λ／４の位相差を持つリターダー２１２ａを配設して、右眼用映像Ｒの右回り円偏光に対応した光学特性を有している。したがって、表示パネル１１２で左眼用映像Ｌを表示しているときには、図３に示すように、偏光眼鏡２００を掛けた観察者の左眼には右眼用映像Ｒが遮光されて左眼用映像Ｌのみが届く。また、表示パネル１１２で右眼用映像Ｒを表示しているときには、図４に示すように、観察者の右眼には左眼用映像Ｌが遮光されて右眼用映像Ｒのみが届く。
【００３５】
このように観察者は、表示装置１００が表示する３次元映像をパッシブ眼鏡２００越しに見ることで、左眼用映像Ｌと右眼用画像Ｒを分離してそれぞれを左眼及び右眼で視認して、立体視することができる。
【００３６】
なお、図２に示したアクティブ・リターダー方式の３次元映像表示システムの変形例として、図５に示すように、ＴＮ液晶が、Ｖｏｎ時に位相差が０、Ｖｏｆｆ時に位相差がλ／２となるように設定するとともに、左眼用レンズ２１１側のリターダー２１１ａが位相差０を有し、右眼用レンズ２１２側のリターダー２１２ａが位相差λ／２を有する偏光眼鏡２００を用いてもよい。この場合、表示装置１００は、左眼用映像Ｌの表示期間に合わせてＴＮ液晶をＶｏｎ、右眼用映像Ｒの表示期間に合わせてＴＮ液晶をＶｏｆｆにすれば、偏光眼鏡２００を掛けた観察者に３次元映像を提示することができる。
【００３７】
アクティブ・リターダー１３１は液晶セルからなるが、±λ／４（若しくは、０とλ／２）の位相差に時分割で変化させる際に、液晶の波長分散によって、±λ／４それぞれで、波長−位相差特性が異なる、という問題がある。この波長−位相差特性の相違は、左右の映像の色ずれとなって観察される。色ずれの影響が顕著な場合は、両眼視野闘争を生じ、３次元映像の視聴に支障をきたす。
【００３８】
本出願人は、駆動周波数２４０Ｈｚの液晶表示パネル１１２の前面にＴＮ（Ｔｗｉｓｔｅｄ  Ｎｅｍａｔｉｃ）液晶及びλ／４波長板からなるアクティブ・リターダー１３１を配設したことを想定して、左右のレンズ２１１、２１２にそれぞれ位相差±λ／４を有するリターダー２１１ａ、２１２ａを配設した偏光眼鏡２００を使用する場合についてシミュレーションを行なってみた。この場合、表示パネル１１２から発せられた偏光は、ＴＮ液晶のＶｏｎ時及びＶｏｆｆ時にて、それぞれ±λ／４（正確には、λ／４と３λ／４）波長の偏光に順次切り替えられる。これによって、表示パネル１１２で表示される左眼用映像Ｌと右眼用映像Ｒは分離される。
【００３９】
このとき、ＴＮ液晶のＶｏｎ時とＶｏｆｆ時とで、透過光の分光特性が異なってしまうという問題がある。すなわち、偏光眼鏡２００越しに観察される左眼用映像Ｌと右眼用映像Ｒとで色味が大きく異なってしまう。
【００４０】
アクティブ・リターダー１３１は、位相差を±λ／４に切り換えるが、あらかじめ決められた波長λについて４分の１波長にするのであって（一般には、緑色の波長λ）、すべての波長についてλ／４になる訳ではなく、波長毎に分光特性が異なる。図６には、アクティブ・リターダー１３１のＴＮ液晶のＶｏｎ時とＶｏｆｆ時それぞれにおける波長毎の透過率特性を示している。図示のように、ＴＮ液晶のＶｏｎ時とＶｏｆｆ時とで透過光の分光特性が異なることが分かる。
【００４１】
このため、偏光眼鏡２００側で左右のレンズ２１１、２１２に、ある特定の波長λ（例えば、緑色の波長）について±λ／４の位相差を持つリターダー２１１ａ、２１２ａを使用すると、色ずれが生じる。
【００４２】
また、図７には、ＴＮ液晶のＶｏｎ時とＶｏｆｆ時、すなわち左眼用映像Ｌと右眼用映像Ｒをそれぞれ表示時に、偏光眼鏡２００越しに観察される映像の色味を色度座標ｘｙ（色度図）上にマッピングしている。図７から、上記の透過光の分光特性の相違に起因して、Ｖｏｎ時とＶｏｆｆ時、すなわち左眼用映像Ｌと右眼用映像Ｒとで色度点がずれていることが分かる。ＴＮ液晶がＶｏｎ時すなわち左眼用映像Ｌを基準にすれば、Ｖｏｆｆ時の右眼用映像Ｒは黄色味がかっていて、色ずれが生じている。また、Ｖｏｆｆ時の右眼用映像Ｒを基準にすれば、Ｖｏｎ時の左眼用映像Ｌは青味がかっていて、色ずれが生じている、ということができる。
【００４３】
そこで、本明細書で開示する技術では、偏光眼鏡２００越しに観察者の左右の眼に入る左眼映像Ｌ及び右眼用映像Ｒの色度が一致するように、左眼用映像Ｌ又は右眼用映像Ｒのうち少なくとも一方の色度を補償する。
【００４４】
例えば、ＴＮ液晶がＶｏｎ時すなわち左眼用映像Ｌを基準する場合、図７に示した色度図上で、ＴＮ液晶がＶｏｆｆ時すなわち右眼用映像Ｒの色度を、Ｖｏｎ時の色度に一致するように、補償する。補償する方法として、映像信号処理部１２０などにおいて、入力された右眼用映像ＲのＲ成分を１０％、Ｇ成分を１０％のゲイン値として減少させて出力することで、青味がからせることで、Ｖｏｆｆ時の色度点をＶｏｎ時の色度点に近づけるようにする。あるいは、上記のように右眼用映像Ｒに青味がからせるように、偏光眼鏡２００の右眼用レンズ２１２に位相差板を取り付ける。
【００４５】
また、ＴＮ液晶がＶｏｆｆ時すなわち右眼用映像Ｒを基準する場合、図７に示した色度図上で、ＴＮ液晶がＶｏｎ時すなわち左眼用映像Ｌの色度を、Ｖｏｆｆ時の色度に一致するように、補償する。補償する方法として、映像信号処理部１２０などにおいて、入力された左眼用映像ＬのＢ成分を１０％のゲイン値として減少させて出力することで、黄色味がからせることで、Ｖｏｎ時の色度点をＶｏｆｆ時の色度点に近づけるようにする。あるいは、上記のように右眼用映像Ｒに青味がからせるように、偏光眼鏡２００の左眼用レンズ２１１に位相差板を取り付ける。
【００４６】
あるいは、Ｖｏｎ時又はＶｏｆｆ時のいずれかの色度点を基準にするのではなく、Ｖｏｎ時及びＶｏｆｆ時の色度点が互いに知数供養に映像信号処理部１２０などで、入力された左眼用映像Ｌ及び右眼用映像Ｒの各色をともに補償する、あるいは、偏光眼鏡２００の左眼用レンズ２１１及び右眼用レンズ２１２の各々に各色を補償するための位相差板を取り付けるようにしてもよい。
【００４７】
なお、本明細書の開示の技術は、以下のような構成をとることも可能である。
（１）左眼用映像及び右眼用映像を表示する表示部と、観察者の左眼から右眼用映像を遮光するとともに右眼から左眼用映像を遮光するシャッター機能部と、左眼用映像又は右眼用映像のうち少なくとも一方の色を補償する補償部と、を具備する映像表示システム。
（２）前記補償部は、左眼用映像と右眼用映像の間で生じる色度点のずれを補償する、上記（１）に記載の映像表示システム。
（３）前記表示部は、左眼用映像及び右眼用映像を時分割で交互に表示し、前記シャッター機能部は、前記表示部の画面の前方に配置されたアクティブ・リターダー層を有し、前記表示部における左眼用映像と右眼用映像の切り換わりに同期して異なる偏光に変換し、観察者が掛けた偏光眼鏡との組み合わせにより、観察者の左眼から右眼用映像を遮光するとともに右眼から左眼用映像を遮光する、上記（１）に記載の映像表示システム。
（４）前記アクティブ・リターダー層は、ツイスト・ネマティック液晶及び１／４波長板の組み合わせからなる、上記（３）に記載の映像表示システム。
（５）前記補償部は、前記表示部における左眼用映像と右眼用映像の切り換わりに対応して前記アクティブ・リターダー層の偏光の切り換え前後における波長特性の相違に起因する左眼用映像と右眼用映像の間で生じる色度点のずれを補償する、上記（３）に記載の映像表示システム。
（６）前記補償部は、左眼用映像と右眼用映像の色度が一致するように、前記表示部に入力される左眼用映像又は右眼用映像のうち少なくとも一方の信号を処理する、上記（１）に記載の映像表示システム。
（７）前記補償部は、左眼用映像と右眼用映像の色度が一致するように、前記偏光眼鏡の左眼用レンズ又は右眼用レンズのうち少なくとも一方に貼設された位相差板からなる、上記（１）に記載の映像表示システム。
（８）左眼用映像及び右眼用映像を表示する表示部と、観察者の左眼から右眼用映像を遮光するとともに右眼から左眼用映像を遮光するシャッター機能部と、左眼用映像と右眼用映像の色度が一致するように、前記表示部に入力される左眼用映像又は右眼用映像のうち少なくとも一方の信号を処理する信号処理部と、を具備する表示装置。
（９）前記表示部は、左眼用映像及び右眼用映像を時分割で交互に表示し、前記シャッター機能部は、前記表示部の画面の前方に配置されたアクティブ・リターダー層を有し、前記表示部における左眼用映像と右眼用映像の切り換わりに同期して異なる偏光に変換し、観察者がかけた偏光眼鏡との組み合わせにより、観察者の左眼から右眼用映像を遮光するとともに右眼から左眼用映像を遮光する、上記（８）に記載の表示装置。
（１０）前記アクティブ・リターダー層は、ツイスト・ネマティック液晶及び１／４波長板の組み合わせからなる、上記（９）に記載の表示装置。
（１１）前記信号処理部は、前記表示部における左眼用映像と右眼用映像の切り換わりに対応して前記アクティブ・リターダー層の偏光の切り換え前後における波長特性の相違に起因する左眼用映像と右眼用映像の間で生じる色度点のずれを補償するように、左眼用映像又は右眼用映像のうち少なくとも一方の信号を処理する、上記（９）に記載の表示装置。
【産業上の利用可能性】
【００４８】
以上、特定の実施形態を参照しながら、本明細書で開示する技術について詳細に説明してきた。しかしながら、本技術の要旨を逸脱しない範囲で当業者が該実施形態の修正や代用を成し得ることは自明である。
【００４９】
本明細書ではアクティブ・リターダー方式の３次元映像表示システムに適用した実施形態を中心に説明してきたが、本明細書で開示する技術の要旨はこれに限定されるものではない。左眼用映像と右眼用映像を表示し、観察者の左眼から右眼用映像を遮光するとともに右眼から左眼用映像を遮光するシャッター機構を備えたさまざまな方式の３次元映像表示システムに対して、同様に本明細書で開示する技術を適用することができ、観察者の左右の眼にそれぞれ届く左眼用映像と右眼用映像の間で生じる色度点のずれを好適に補償して、両眼視野闘争を防ぎ、高品質な３次元映像を提供することができる。
【００５０】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【符号の説明】
【００５１】
１００…表示装置
１１０…映像表示部
１１２…液晶パネル
１１３…ゲート・ドライバー
１１４…データ・ドライバー
１２０…映像信号制御部
１３１…アクティブ・リターダー
１３２…偏光板
１４０…タイミング制御部
１５０…映像メモリー
１６２…光源
２００…パッシブ眼鏡
２１１…左眼用レンズ
２１１ａ…リターダー、２１１ｂ…偏光板
２１２…右眼用レンズ
２１２ａ…リターダー、２１２ｂ…偏光板
【図１】
2013235208.tif 000003
【図２】
2013235208.tif 000004
【図３】
2013235208.tif 000005
【図４】
2013235208.tif 000006
【図５】
2013235208.tif 000007
【図６】
2013235208.tif 000008
【図７】
2013235208.tif 000009